(57)【要約】【課題】より少ない機能でかつより低コストで、ネットワークを介して受信した情報を、テレビ受像機に表示する。【解決手段】テレビ受像機１と仲介装置２とを備えた情報中継システムであって、テレビ受像機１は、操作指示を受け付ける指示受付手段と、操作指示を仲介装置２に送信する指示送信手段と、仲介装置がネットワークを介して取得した情報を受信する情報受信手段と、受信した情報を表示する表示手段と、を有し、仲介装置２は、テレビ受像機１から操作指示を受信する指示受信手段と、操作指示に応じてネットワークを介して情報を取得する取得手段と、取得した情報をテレビ受像機１に送信する情報送信手段と、を有する。【選択図】  図１
2006148474.tif 000002
【特許請求の範囲】
【請求項１】
テレビ受像機と、ネットワークを介して情報を受信する仲介装置と、を備えた情報中継システムであって、
前記テレビ受像機は、
前記仲介装置に対する操作指示を受け付ける指示受付手段と、
前記操作指示を、前記仲介装置に送信する指示送信手段と、
前記仲介装置から、当該仲介装置が前記操作指示に応じて前記ネットワークを介して取得した情報を受信する情報受信手段と、
前記受信した情報を表示する表示手段と、を有し、
前記仲介装置は、
前記テレビ受像機から操作指示を受信する指示受信手段と、
前記操作指示に応じて、前記ネットワークを介して情報を取得する取得手段と、
前記取得した情報を、前記テレビ受像機に送信する情報送信手段と、を有すること
を特徴とする情報中継システム。
【請求項２】
請求項１記載の情報中継システムであって、
前記テレビ受像機と前記仲介装置とは、情報および電気を送受信可能なケーブルで接続され、
前記テレビ受像機は、外部電源から供給された電気を、前記ケーブルを介して前記仲介装置に送電する送電手段を、さらに有し
前記仲介装置は、前記テレビ受像機から前記ケーブルを介して受電した電気を充電する充電手段と、をさらに有すること
を特徴とする情報中継システム。
【請求項３】
ネットワークを介して情報を受信する仲介装置であって、
テレビ受像機から操作指示を受信する指示受信手段と、
前記操作指示に応じて、前記ネットワークを介して情報を取得する取得手段と、
前記取得した情報を、前記テレビ受像機に送信する情報送信手段と、を有すること
を特徴とする仲介装置。
【請求項４】
テレビ受像機であって、
ネットワークを介して情報を取得する仲介装置に対する操作指示を受け付ける指示受付手段と、
前記操作指示を、前記仲介装置に送信する指示送信手段と、
前記仲介装置から、当該仲介装置が前記操作指示に応じて前記ネットワークを介して取得した情報を受信する情報受信手段と、
前記受信した情報を表示する表示手段と、を有すること
を特徴とするテレビ受像機。
【発明の詳細な説明】
【技術分野】
【０００１】
本発明は、ネットワークを介して受信した情報をテレビ受像機に表示する技術に関する。
【背景技術】
【０００２】
近年、デジタル放送の実用化に伴い、インターネットを介して受信した情報をテレビ受像機に表示させる技術が研究されている。例えば、特許文献１には、テレビ放送を受信するとともに、インターネットにも接続可能なインターネット共用テレビジョン受信端末が記載されている。
【特許文献１】特開２００２−１１２２２９号公報
【発明の開示】
【発明が解決しようとする課題】
【０００３】
インターネットに接続する場合、一般的にはＰＣ（Personal Computer）が用いられる。しかしながら、ＰＣに不慣れなユーザにとって、ＰＣを操作してインターネットに接続することは容易ではない。このようなユーザは、インターネット共用テレビジョン受信端末を使用することにより、容易にインターネットに接続することができる。
【０００４】
ところで、インターネット共用テレビジョン受信端末は、インターネットに接続するためにモデムなど各種の装置や機能を備え必要がある。そのため、インターネット共用テレビジョン受信端末は、テレビ放送のみを表示する従来のテレビ受像機に比べて高機能および高コストとなる。
【０００５】
本発明は上記事情に鑑みてなされたものであり、本発明の目的は、ユーザの利便性を損なうことなく、より少ない機能でかつより低コストで、ネットワークを介して受信した情報をテレビ受像機に表示することにある。
【課題を解決するための手段】
【０００６】
上記課題を解決するために、本発明では、ネットワークに接続可能な仲介装置を介して、ネットワークから受信した情報をテレビ受像機に表示する。
【０００７】
例えば、第１の発明は、テレビ受像機と、ネットワークを介して情報を受信する仲介装置と、を備えた情報中継システムである。テレビ受像機は、仲介装置に対する操作指示を受け付ける指示受付手段と、操作指示を仲介装置に送信する指示送信手段と、仲介装置から、当該仲介装置が操作指示に応じてネットワークを介して取得した情報を受信する情報受信手段と、受信した情報を表示する表示手段と、を有する。仲介装置は、テレビ受像機から操作指示を受信する指示受信手段と、操作指示に応じてネットワークを介して情報を取得する取得手段と、取得した情報をテレビ受像機に送信する情報送信手段と、を有する。
【０００８】
また、第２の発明は、ネットワークを介して情報を受信する仲介装置であって、テレビ受像機から操作指示を受信する指示受信手段と、操作指示に応じてネットワークを介して情報を取得する取得手段と、取得した情報をテレビ受像機に送信する情報送信手段と、を有する。
【０００９】
また、第３の発明は、テレビ受像機であって、ネットワークを介して情報を取得する仲介装置に対する操作指示を受け付ける指示受付手段と、操作指示を仲介装置に送信する指示送信手段と、仲介装置から、当該仲介装置が操作指示に応じてネットワークを介して取得した情報を受信する情報受信手段と、受信した情報を表示する表示手段と、を有する。
【発明の効果】
【００１０】
本発明により、ユーザの利便性を損なうことなく、より少ない機能でかつより低コストで、ネットワークを介して受信した情報をテレビ受像機に表示することができる。
【発明を実施するための最良の形態】
【００１１】
以下、本発明の実施の形態について説明する。
【００１２】
図１は、本発明の一実施形態が適用された情報中継システムの全体構成図である。
【００１３】
本実施形態の情報中継システムは、テレビ受像機１と、仲介装置２と、リモートコントロール装置（以下、「リモコン」）３と、を備えている。そして、テレビ受像機１と仲介装置２とは、ＵＳＢ（Universal Serial Bus）ケーブル４により接続されている。なお、テレビ受像機１と仲介装置２とは、ブルートゥース（Bluetooth）による無線通信、または、ＩｒＤＡ（Infrared Data Association）の赤外線を利用した赤外線通信により接続することとしてもよい。
【００１４】
テレビ受像機１は、放送局（不図示）が送信する電波を受信し、テレビ番組を表示する。また、テレビ受像機１は、仲介装置２から受信した各種の情報を表示する。
【００１５】
仲介装置２は、インターネットなどのネットワーク５を介して、Ｗｅｂサーバなどのコンピュータシステム（不図示）から各種の情報を受信（ダウンロード）し、受信した情報をテレビ受像機１に送信する。なお、各種の情報とは、コンピュータシステムが提供するコンテンツ、Ｗｅｂページ（インターネット上で公開されている文書）、電子メール、データ等である。なお、本実施形態では、仲介装置２に、携帯電話を用いることとする。
【００１６】
リモコン３は、テレビ受像機１を遠隔操作するための装置である。すなわち、リモコン３は、テレビ受像機１の入力装置として機能する。リモコン３は、各種の操作指示の入力を受け付け、入力された操作指示をテレビ受像機１に送信する。なお、リモコン３が受け付ける操作指示には、テレビ受像機１に対する操作指示と、仲介装置２に対する操作指示とがある。テレビ受像機１は、仲介装置２に対する操作指示をリモコン３から受信すると、ＵＳＢケーブル４を介して当該操作指示を仲介装置２に送信する。
【００１７】
図２は、テレビ受像機１のブロック構成図である。
【００１８】
テレビ受像機１は、表示装置１１と、表示部１２と、中継部１３と、処理部１４と、記憶部１５と、を有する。表示装置１１は、テレビ番組および仲介装置２から受信した情報を表示するディスプレイである。なお、表示装置１１には、ＣＲＴ（ブラウン管）ディスプレイや液晶ディスプレイなどを用いることができる。
【００１９】
表示部１２は、テレビ番組および仲介装置２から受信した情報を、表示装置１１に出力する。なお、表示部１２は、インターネット上で公開された情報であるＷｅｂページを閲覧するためのＷｅｂブラウザの機能を備えることとしてもよい。Ｗｅｂブラウザは、ＨＴＭＬ等により記述されたＷｅｂページを解析し、表示装置１１に表示する。
【００２０】
中継部１３は、ＵＳＢケーブル４を介して、仲介装置２とデータ（操作指示、情報  等）の送受信を行う。すなわち、中継部１３は、ＵＳＢインタフェースにしたがって、仲介装置２と通信する。また、中継部１３は、仲介装置２からの要求を受け付けて、コンセントなどの外部電源から供給された電気を、ＵＳＢケーブル４を介して仲介装置２に供給する。
【００２１】
処理部１４は、リモコン３から操作指示を受信し、受信した操作指示に応じた処理を行う。例えば、仲介装置２に対する操作指示を受信した場合、処理部１４は、中継部１３を制御して受信した操作指示を仲介装置２に送信する。
【００２２】
記憶部１５には、メニュー画面１６と、仲介装置２から受信した各種の受信情報１７（コンテンツ、Ｗｅｂページ、データ等）とが記憶されている。メニュー画面１６は、表示装置１１に表示する映像を選択するための画面である。なお、メニュー画面１６については後述する。
【００２３】
なお、テレビ受像機１は、放送局が送信するテレビ放送波を受信するチューナ（不図示）、および、テレビ放送波の周波数を選択するチャンネル（不図示）を有する。
【００２４】
図３は、仲介装置２のブロック構成図である。
【００２５】
仲介装置２は、表示装置２１と、表示部２２と、中継部２３と、処理部２４と、ネットワーク接続部２５と、課金情報生成部２６と、充電部２７と、記憶部２８と、を有する。表示装置２１は、各種の情報を表示するディスプレイである。なお、本実施形態では、仲介装置２は携帯電話であるため、表示装置２１には、液晶ディスプレイを用いるものとする。
【００２６】
表示部２２は、ネットワーク５を介して受信（ダウンロード）した各種の情報を表示装置２１に出力する。なお、表示部２２は、Ｗｅｂブラウザの機能を備えることとしてもよい。
【００２７】
中継部２３は、ＵＳＢケーブル４を介して、テレビ受像機１とデータ（操作指示、情報  等）の送受信を行う。すなわち、中継部２３は、ＵＳＢインタフェースにしたがって、テレビ受像機１と通信する。また、中継部２３は、ＵＳＢケーブル４を介してテレビ受像機１から供給される電気を受電する。
【００２８】
処理部２４は、テレビ受像機１を介してリモコン３の操作指示を受信し、受信した操作指示に応じた処理を行う。また、処理部２４は、操作ボタンなどの入力装置（不図示）から入力された操作指示を受け付けて、当該操作指示に応じた処理を行う。例えば、表示装置２１に表示されたハイパーリンク（ネットワーク上の位置情報）を選択する操作指示を受け付けた場合、処理部２４は、ネットワーク接続部２５を用いてネットワーク５に接続し、ハイパーリンク先の情報をダウンロードする。
【００２９】
ネットワーク接続部２５は、無線でネットワーク５に接続し、当該ネットワーク５に接続されたコンピュータシステム（例えば、Ｗｅｂサーバ等）とデータの送受信を行う。なお、ネットワーク接続部２５がネットワーク５へ接続するための接続設定は、本実施形態の場合、通信事業者と携帯電話サービス（例えば、インターネット接続サービスなど）の契約をする際に行われる。なお、通信事業者は、例えばＩＳＰ（Internet Service Provider）などである。
【００３０】
課金情報生成部２６は、課金情報を生成し、生成した課金情報を通信事業者のコンピュータシステムにネットワーク５を介して送信する。課金情報は、一般的にネットワーク５を介して受信した情報の受信パケット数、通話時間などである。また、課金情報生成部２６は、テレビ受像機１の表示装置１１に適した表示画面で情報を提供する有料サービスの有無を、課金情報に含めることとしてもよい。すなわち、通信事業者のコンピュータシステムは、携帯電話である仲介装置２の狭い表示装置２１（液晶画面）に適した形式の情報を送信するとともに、テレビ受像機１の大きな表示装置１１に適した形式の情報を送信する有料サービスを提供するものとする。処理部２４は、入力装置やリモコン３から入力された当該有料サービスの利用指示を受け付けて、通信事業者のコンピュータシステムに当該有料サービスの利用を通知する。そして、課金情報生成部２６は、当該有料サービスを利用する旨の課金情報を生成する。
【００３１】
充電部２７は、コンセントなどの外部電源から供給された電気、および、ＵＳＢケーブル４を介してテレビ受像機１から供給された電気を蓄えるバッテリーである。なお、充電部２７または中継部２３は、例えば入力装置から入力された指示を受け付けて、テレビ受像機１に電気の供給を要求する。
【００３２】
記憶部２８には、アドレス情報２８１と、認証情報２８２と、受信情報２８３とが記憶されている。アドレス情報２８１には、ネットワーク上に存在する情報各々のアドレスが設定されている。アドレスには、例えばＵＲＬ（Uniform Resource Locator）を用いることができる。例えば、アドレス情報２８１には、インターネットを行うための所定のポータルサイト（portal site）のＵＲＬが記憶されている。なお、ポータルサイトは、インターネットの入り口となるＷｅｂサイトである。また、アドレス情報２８１には、オンラインショッピング（買い物）を行うためのｗｅｂサイトのアドレスが記憶されている。また、アドレス情報２８１には、電子メールを行うためのメールサーバのアドレスが記憶されている。
【００３３】
認証情報２８２には、通信事業者との携帯電話サービスの契約時に設定される、仲介装置２固有の情報が記憶されている。例えば、認証情報２８２には、携帯電話である仲介装置２の、加入者番号（Subscriber Number）、機体番号、パスワードなどが設定される。受信情報２８３には、ネットワーク５を介して受信した各種の情報（コンテンツ、Ｗｅｂページ、電子メール、データ等）が記憶されている。
【００３４】
上記説明した、テレビ受像機１および仲介装置２各々は、表示装置１１、２２のほかに、ＣＰＵと、メモリと、ＨＤＤ等の外部記憶装置と、操作パネルや機能ボタンなどの入力装置と、他の装置と接続するための通信制御装置と、これらの各装置を接続するバスと、を備えた汎用的なコンピュータシステムを用いることができる。
【００３５】
このコンピュータシステムにおいて、ＣＰＵがメモリ上にロードされた所定のプログラムを実行することにより、各装置の各機能が実現される。例えば、テレビ受像機１および仲介装置２の各機能は、テレビ受像機１用のプログラムの場合はテレビ受像機１のＣＰＵが、仲介装置２用のプログラムの場合は仲介装置２のＣＰＵが、それぞれ実行することにより実現される。なお、テレビ受像機１の記憶部１５には、テレビ受像機１のメモリまたは外部記憶装置が用いられる。また、仲介装置２の記憶部２８には、仲介装置２のメモリまたは外部記憶装置が用いられる。また、外部記憶装置および入力装置については、各装置が必要に応じて備えるものとする。また、仲介装置２は、受話器および送話機を有する。
【００３６】
図４は、テレビ受像機１の記憶部１５に記憶されたメニュー画面１６の一例を示した図である。
【００３７】
図示するように、メニュー画面１６には、テレビ選択欄４１、インターネット選択欄４２、買い物選択欄４３、および、メール選択欄４４が表示されている。ユーザは、リモコン３を用いて、いずれかの選択欄を指定することができる。テレビ選択欄４１を指定した場合、テレビ受像機１はテレビ番組を表示装置１１に表示する。また、インターネット選択欄４２を指定した場合、テレビ受像機１はインターネットを行うための所定のポータルサイトを表示装置１１に表示する。買い物選択欄４３を指定した場合、テレビ受像機１はオンラインショッピングを行うための所定のＷｅｂサイトを表示装置１１に表示する。また、メール選択欄４４を指定した場合、テレビ受像機１は電子メールを行うための電子メール送受信画面を表示装置１１に表示する。
【００３８】
なお、メニュー画面１６は、図４に限定することなく、さまざまな画面を用いることができる。例えば、テレビ選択欄４１を除く各選択欄４２〜４４の中に、対応するアドレス（ＵＲＬ）を表示することとしてもよい。すなわち、仲介装置２のアドレス情報２８１を、テレビ受像機１の記憶部１５にも記憶しておくこととする。そして、メニュー画面１６の各選択欄４２〜４４において、対応する各アドレスが表示されるものとする。
【００３９】
また、例えば、買い物選択欄４３に複数のショッピングサイトのアドレスを表示することとしてもよい。これにより、ユーザは、買い物の種類などに応じて、所望のショッピングサイトにアクセスすることができる。
【００４０】
なお、メニュー画面１６は、リモコン３などの入力装置により、ユーザが自由に変更できるものとする。例えば、ユーザは、図示する選択欄４１〜４４以外のメニューの名称と、対応するアドレスとを入力する。これにより、テレビ受像機１の処理部１４は、新たな選択欄が追加されたメニュー画面を生成するものとする。
【００４１】
つぎに、本情報中継システムの処理について説明する。
【００４２】
図５は、本情報中継システムの処理フロー図である。まず、テレビ受像機１の処理部１４は、リモコン３から操作指示を受信する（Ｓ５１）。ユーザは、リモコン３の操作ボタンを用いて操作指示を入力する。そして、リモコン３は、受け付けた操作指示をテレビ受像機１に送信する。
【００４３】
なお、操作指示には、テレビ受像機１に対する操作指示と、仲介装置２に対する操作指示とがある。テレビ受像機１に対する操作指示には、例えば、メニュー画面１６（図４参照）の表示を指示するメニュー表示指示、メニュー画面１６でテレビ選択欄４１を選択する指示などがある。
【００４４】
また、仲介装置２に対する操作指示には、ネットワーク５へ接続が必要な操作指示がある。例えば、仲介装置２に対する操作指示には、メニュー画面１６でインターネット選択欄４２、買い物選択欄４３またはメール選択欄４４を選択する操作指示がある。また、仲介装置２に対する操作指示には、表示装置１１、２１に表示された情報（仲介装置２から受信した情報）のハイパーリンクを選択する操作指示などがある。
【００４５】
そして、テレビ受像機１の処理部１４は、受信した操作指示がテレビ受像機１に対する操作指示か否かを判別する（Ｓ５２）。テレビ受像機１に対する操作指示の場合（Ｓ５２：ＹＥＳ）、処理部１４は、操作指示に応じた処理を行う（Ｓ５３）。例えば、メニュー表示指示の場合、処理部１４は、記憶部１５に記憶されたメニュー画面１６を読み出し、表示部１２を制御して表示装置１１にメニュー画面を表示する。また、メニュー画面１６でテレビ選択欄４１を選択する指示の場合、処理部１４は、表示部１２を制御してチューナから受信したテレビ番組を表示装置１１に表示する。
【００４６】
一方、テレビ受像機１に対する操作指示でない場合、すなわち、仲介装置２に対する操作指示の場合（Ｓ５２：ＮＯ）、処理部１４は、中継部１３を制御して、当該操作指示を仲介装置２に送信する（Ｓ５４）。なお、中継部１３は、ＵＳＢケーブル４を介して操作指示を送信する。
【００４７】
そして、仲介装置２の中継部２３は、テレビ受像機１から操作指示を受信する（Ｓ５５）。そして、処理部２４は、受け付けた操作指示に応じて所定の処理を行う（Ｓ５６）。
【００４８】
例えば、メニュー画面１６でインターネット選択欄４２を選択する指示の場合、処理部２４は、記憶部２８のアドレス情報２８１を読み出し、インターネット用のアドレス（ＵＲＬ）を特定する。そして、処理部２４は、ネットワーク接続部２５を制御し、特定したアドレスを宛先としてネットワーク５に接続する。また、メニュー画面１６で買い物選択欄４３またはメール選択欄４４を選択する指示の場合も同様に、処理部２４は、記憶部２８のアドレス情報２８１から所定のアドレスを特定し、当該アドレスを宛先としてネットワーク５に接続する。また、表示装置１１、２１に表示された情報のハイパーリンクを選択する操作指示の場合、処理部１４は、ハイパーリンク先を宛先としてネットワーク５に接続する。
【００４９】
なお、テレビ受像機１から受信した操作指示にアドレス（ＵＲＬ）が含まれている場合、処理部２４は、当該アドレスを宛先としてネットワーク５に接続する。
【００５０】
また、処理部１４は、ネットワーク５に接続する際に、必要に応じて、記憶部２８に記憶された認証情報２８２を読み出し、特定したアドレスに認証情報を送信する。認証情報を受信したコンピュータシステムは、正当な仲介装置２（ユーザ）からの送信であることを認証することができる。
【００５１】
そして、処理部２４は、ネットワーク接続部２５を制御して、ネットワーク５を介して情報を受信（ダウンロード）し、受信情報２８３として記憶部２８に記憶する（Ｓ５７）。そして、処理部２４は、表示部２２を制御して受信した情報を表示装置２１に出力するとともに、中継部２３を制御して受信した情報をテレビ受像機１に送信する（Ｓ５８）。
【００５２】
テレビ受像機１の中継部１３は、ＵＳＢケーブル４を介して、仲介装置２から情報を受信し、受信情報１７として記憶部１５に記憶する（Ｓ５９）。そして、表示部１２は、受信した情報を、表示装置１１に表示する（Ｓ６０）。
【００５３】
以上、本発明の一実施形態を説明した。
【００５４】
本実施形態では、ネットワーク５を介して仲介装置２が取得した情報を、テレビ受像機１に表示する。これにより、テレビ受像機１は、ユーザの利便性を損なうことなく、より少ない機能でかつより低コストで、ネットワークを介して取得した情報を表示装置に表示することができる。
【００５５】
また、ＰＣに不慣れなユーザは、本実施形態のテレビ受像機１を使用することによって容易にネットワークに接続することができる。
【００５６】
また、本実施形態の仲介装置２は、ＵＳＢケーブル４を介して、テレビ受像機１から電気を受電し、充電することができる。
【００５７】
なお、本発明は上記の実施形態に限定されるものではなく、その要旨の範囲内で数々の変形が可能である。例えば、上記実施形態では、仲介装置２に携帯電話を用いることとした。しかしながら、本発明はこれに限定されず、仲介装置２にＬモード対応の電話機を用いることとしてもよい。Ｌモードは、ＮＴＴ東日本株式会社およびＮＴＴ西日本株式会社による電話回線（ＡＤＳＬ回線）、ＩＳＤＮ回線、光回線などを用いた情報提供サービスである。このＬモード対応の電話機は、コンピュータを内蔵した固定電話機であって、携帯電話と同様に、液晶ディスプレイの表示装置、操作ボタンなどの入力装置、受話器、送話機などを有する。なお、Ｌモード対応の電話機の構成は、図３に示す仲介装置２の構成と同様である。また、上記実施形態における仲介装置２（形態電話）は、無線によりネットワーク５に接続していたが、Ｌモード対応の電話機は、有線により（回線に接続することにより）ネットワーク５に接続する。
【００５８】
また、上記実施形態のテレビ受像機１は、リモコン３から各種の操作指示を受け付ける。しかしながら、テレビ受像機１は、操作パネルなどの入力手段を有し、当該入力手段から入力された操作指示を仲介装置２に送信することとしてもよい。
【００５９】
また、上記実施形態では、メニュー画面１６はテレビ受像機１の記憶部１５に記憶されている。しかしながら、メニュー画面１６は、仲介装置２の記憶部２８に記憶されているものとしてもよい。この場合、テレビ受像機１は、リモコン３からのメニュー画面１６の要求指示を受け付け、当該要求指示を仲介装置２に送信する。仲介装置２は、要求指示を受信してメニュー画面１６を記憶部２８から読み出し、テレビ受像機１に送信する。そして、テレビ受像機１は、メニュー画面１６を仲介装置２から受信し、表示装置１１に表示する。
【図面の簡単な説明】
【００６０】
【図１】本発明の一実施形態が適用された情報中継システムの全体構成を示す図である。
【図２】テレビ受像機のブロック図である。
【図３】仲介装置のブロック図である。
【図４】メニュー画面の一例を示す図である。
【図５】情報中継システムの処理フロー図である。
【符号の説明】
【００６１】
１：テレビ受像機、１１：表示装置、１２：表示部、１３中継部、１４：処理部、１５：記憶部、２：仲介装置、２１：表示装置、２２：表示部、２３中継部、２４：処理部、２５：ネットワーク接続部、２６：課金情報生成部、２７：充電部、２８：記憶部、３：リモコン、４：ＵＳＢケーブル、５：ネットワーク
【図１】
2006148474.tif 000003
【図２】
2006148474.tif 000004
【図３】
2006148474.tif 000005
【図４】
2006148474.tif 000006
【図５】
2006148474.tif 000007